(57)【要約】【課題】  モデル式等の計算式を用いることなく、また、点検作業等の状況にも対応することができるプラント監視システムおよびプラント監視方法を提供する。【解決手段】  複数の機器を含む各監視対象を監視するプラント監視システムであって、複数のセンサの測定値を基に監視対象毎にモデルを作成し、この後、モデル作成の時点での各センサの測定値と、各センサからの現在の測定値とから、モデルを基に予測される測定値を算出し、算出した測定値と現在の測定値とを比較して監視対象を監視するモデル作成部４３ｃ〜４３ｅを、各監視対象に対応してそれぞれ備える管理サーバ４３と、管理サーバ４３のモデル作成部４３ｃ〜４３ｅが用いる複数のセンサの中の１つに対して、このセンサの測定値をモデル作成部４３ｃ〜４３ｅにそれぞれ送るか否かの処理をするマスク４３ｂ１〜４３ｂ１２とを備える。【選択図】  図１
2020035109.tif 000002
【特許請求の範囲】
【請求項１】
各種の機器を備えると共にこれらの機器の状態を測定する各種のセンサを備えるプラントに用いられて、複数の前記機器を含む各監視対象を監視するプラント監視システムであって、
前記監視対象に対応するモデルを複数のセンサの測定値を基に作成し、この後、前記モデルを作成した時点での前記各センサの測定値と、前記各センサから所定期間に受け取った測定値とから、前記モデルを基に予測される測定値を算出し、算出した測定値と前記各センサから所定期間に受け取った測定値とを比較して前記監視対象を監視するモデル作成部を、前記各監視対象に対応してそれぞれ備えるモデル作成手段と、
前記モデル作成手段の各モデル作成部が用いる前記複数のセンサの中の１つに対して、このセンサの測定値を前記各モデル作成部にそれぞれ送るか否かの処理をする処理手段と、
を備えることを特徴とするプラント監視システム。
【請求項２】
前記処理手段は、前記各モデル作成部が用いる総てのセンサに対して、これらのセンサの測定値を前記各モデル作成部にそれぞれ送るか否かの処理をする、
ことを特徴とする請求項１に記載のプラント監視システム。
【請求項３】
前記処理手段が行う処理は、前記各センサの測定値を前記各モデル作成部に送らないためのマスク処理である、
ことを特徴とする請求項１または２に記載のプラント監視システム。
【請求項４】
各種の機器を備えると共にこれらの機器の状態を測定する各種のセンサを備えるプラントに用いられて、複数の前記機器を含む各監視対象を監視するプラント監視方法であって、
前記監視対象に対応するモデルを複数のセンサの測定値を基に作成し、この後、前記モデルを作成した時点での前記各センサの測定値と、前記各センサから所定期間に受け取った測定値とから、前記モデルを基に予測される測定値を算出し、算出した測定値と前記各センサから所定期間に受け取った測定値とを比較して前記監視対象を監視するモデル作成部を、前記各監視対象に対応してそれぞれ設け、
前記モデル作成手段の各モデル作成部が用いる前記複数のセンサの中の１つに対して、このセンサの測定値を前記各モデル作成部にそれぞれ送るか否かの処理をする、
ことを特徴とするプラント監視方法。
【発明の詳細な説明】
【技術分野】
【０００１】
この発明は、各種のプラントを監視するプラント監視システムおよびプラント監視方法に関する。
【背景技術】
【０００２】
発電所の発電プラントには、蒸気タービンやボイラー等の各種の機器が使用され、発電プラントは、これらの機器により発電を行っている。こうした発電プラントでは、機器等について故障の予兆を監視している。（例えば、特許文献１参照。）。この文献によれば、プラントに設置されている各種のセンサから、定期的にデータを取得して、診断モデルに適用し、設備の異常を診断する。
【０００３】
この診断モデルはモデル式を用いたものであり、モデル式はプラントに設置されている各センサの測定値を引数とし、各引数に割り当てられたセンサが正常なときに、モデル式による算出結果が所定の値を示す。また、センサの測定値が異常になると、モデル式は所定の値と異なる値を算出する。
【０００４】
従来技術は、こうしたモデル式を用いた診断モデルにより、プラントの診断や監視を行っている。
【先行技術文献】
【特許文献】
【０００５】
【特許文献１】特開２０１５−１７９４４０号公報
【発明の概要】
【発明が解決しようとする課題】
【０００６】
しかし、先に述べた従来技術には次の課題がある。この技術によれば、モデル式を用いて、プラントの診断を行う。このとき、モデル式が所定値または所定値に近い場合に、プラントが正常と診断される。モデル式から得られる値は、引数とするセンサの測定値やセンサの設置数などによって異なる。このために、プラントの正常と異常とを区別するための基準が各モデル式によって異なり、基準の設定の仕方によって診断の精度が影響を受ける結果になる。
【０００７】
また、この従来技術によれば、各センサの測定値をモデル式の引数としているので、例えば１つのセンサが点検等で正常な測定値を出力しない場合には、このセンサの測定値を引数とするモデル式は、総べて異常を示す値を算出することになる。つまり、従来技術は、センサの点検等の作業に対応することができない。
【０００８】
この発明の目的は、前記の課題を解決し、モデル式等の計算式を用いることなく、また、点検作業等の状況にも対応することができるプラント監視システムおよびプラント監視方法を提供することにある。
【課題を解決するための手段】
【０００９】
前記の課題を解決するために、請求項１の発明は、各種の機器を備えると共にこれらの機器の状態を測定する各種のセンサを備えるプラントに用いられて、複数の前記機器を含む各監視対象を監視するプラント監視システムであって、前記監視対象に対応するモデルを複数のセンサの測定値を基に作成し、この後、前記モデルを作成した時点での前記各センサの測定値と、前記各センサから所定期間に受け取った測定値とから、前記モデルを基に予測される測定値を算出し、算出した測定値と前記各センサから所定期間に受け取った測定値とを比較して前記監視対象を監視するモデル作成部を、前記各監視対象に対応してそれぞれ備えるモデル作成手段と、前記モデル作成手段の各モデル作成部が用いる前記複数のセンサの中の１つに対して、このセンサの測定値を前記各モデル作成部にそれぞれ送るか否かの処理をする処理手段と、を備えることを特徴とするプラント監視システムである。
【００１０】
請求項１の発明によるプラント監視システムは、各種の機器を備えると共にこれらの機器の状態を測定する各種のセンサを備えるプラントに用いられて、複数の機器を含む各監視対象を監視する。このために、モデル作成手段は、監視対象に対応するモデルを複数のセンサの測定値を基に作成し、この後、モデルを作成した時点での各センサの測定値と、各センサから所定期間に受け取った測定値とから、モデルを基に予測される測定値を算出し、算出した測定値と各センサから所定期間に受け取った測定値とを比較して監視対象を監視するモデル作成部を、各監視対象に対応してそれぞれ備える。処理手段は、モデル作成手段の各モデル作成部が用いる複数のセンサの中の１つに対して、このセンサの測定値を各モデル作成部にそれぞれ送るか否かの処理をする。
【００１１】
請求項２の発明は、請求項１に記載のプラント監視システムにおいて、前記各モデル作成部が用いる総てのセンサに対して、これらのセンサの測定値を前記各モデル作成部にそれぞれ送るか否かの処理をする、ことを特徴とする。
【００１２】
請求項３の発明は、請求項１または２に記載のプラント監視システムにおいて、前記処理手段が行う処理は、前記各センサの測定値を前記各モデル作成部に送らないためのマスク処理である、ことを特徴とする。
【００１３】
請求項４の発明は、各種の機器を備えると共にこれらの機器の状態を測定する各種のセンサを備えるプラントに用いられて、複数の前記機器を含む各監視対象を監視するプラント監視方法であって、前記監視対象に対応するモデルを複数のセンサの測定値を基に作成し、この後、前記モデルを作成した時点での前記各センサの測定値と、前記各センサから所定期間に受け取った測定値とから、前記モデルを基に予測される測定値を算出し、算出した測定値と前記各センサから所定期間に受け取った測定値とを比較して前記監視対象を監視するモデル作成部を、前記各監視対象に対応してそれぞれ設け、前記モデル作成手段の各モデル作成部が用いる前記複数のセンサの中の１つに対して、このセンサの測定値を前記各モデル作成部にそれぞれ送るか否かの処理をする、ことを特徴とするプラント監視方法である。
【発明の効果】
【００１４】
請求項１および請求項４の発明によれば、モデルを作成した時点での各センサの測定値と、各センサから所定期間に受け取った測定値とから、モデルを基に予測される測定値を算出し、算出した測定値と各センサから所定期間に受け取った測定値とを比較して監視対象を監視するので、監視を行う毎にモデル式等の計算式を用いることなく、また、センサの測定値を送るか否かの処理をするので、このセンサが設置されている機器の点検作業等の状況にも対応することを可能にする。
【００１５】
請求項２の発明によれば、総てのセンサに対して、これらのセンサの測定値を送るか否かの処理をするので、各種の点検作業等の状況にも対応することを可能にする。
【００１６】
請求項３の発明によれば、センサの測定値を送るか否かの処理が、各センサの測定値を各モデル作成部に送らないためのマスク処理であるので、ソフトウエアによる処理を可能にする。
【図面の簡単な説明】
【００１７】
【図１】この発明の一実施の形態によるプラント監視システムを示す構成図である。
【図２】センサデータの一例を示す図である。
【図３】モデルの作成をするための機能を説明する説明図である。
【図４】センサデータの一例を示す図である。
【図５】データの関係性の抽出を説明する説明図である。
【図６】モデルの一例を示す図である。
【図７】センサ間の関係性の変化を説明する説明図である。
【図８】一般的なマスク処理を説明する説明図である。
【図９】実施の形態によるマスク処理を説明する説明図である。
【発明を実施するための形態】
【００１８】
次に、この発明の実施の形態について、図面を用いて詳しく説明する。この実施の形態によるプラント監視システムを図１に示す。図１のプラント監視システムは、発電プラント１０が設置されている発電所で用いられるものであり、センサ監視装置２０と、モデル監視装置４０とを主に備えている。
【００１９】
発電プラント１０は原子力や火力で発電を行い、この実施の形態では原子力で発電を行う場合を例としている。発電プラント１０には、図示を省略しているが、原子炉、タービン、発電機、ポンプや配管などの多数の機器が使用されている。発電プラント１０は、これらの機器により発電を行う。発電プラント１０には、各機器の状態を調べるために、同じく図示を省略しているが、各種のセンサが設置されている。各センサは、機器の測定値ｓｇ１〜ｓｇ３をセンサ監視装置２０に送る。
【００２０】
センサ監視装置２０は、発電プラント１０に設置されているセンサからの測定値ｓｇ１〜ｓｇ３を受け取る。センサ監視装置２０は、各センサから測定値ｓｇ１〜ｓｇ３を受け取ると、図２に示すようなセンサデータを作成する。センサデータには、センサを表すと共にセンサを識別するためのセンサ識別情報に対応して、センサが設置されている設置点が記録されている。また、センサデータには、センサ識別情報に対応して、センサの測定値や測定日時等が記録されている。
【００２１】
センサ監視装置２０は、作成したセンサデータを、所定時間が経過する毎に、社内通信網３０を経てモデル監視装置４０に送信する。所定時間は、秒単位、分単位、時間単位、日単位などのように、必要に応じてセンサ監視装置２０に設定される。
【００２２】
モデル監視装置４０は、社内通信網３０を経てセンサ監視装置２０からセンサデータを受信すると、受信したセンサデータを用いて、発電プラント１０を監視する。このために、モデル監視装置４０は、通信制御部４１と、データサーバ４２と、管理サーバ４３と、クライアント４４〜４５とを備えている。そして、モデル監視装置４０の通信制御部４１〜クライアント４５は、データの送受信が可能なように接続されている。
【００２３】
通信制御部４１は、データサーバ４２〜クライアント４５を社内通信網３０に接続するための通信制御を行う。例えば、通信制御部４１は、社内通信網３０を経てセンサ監視装置２０からセンサデータを受信すると、このセンサデータをデータサーバ４２に送る。
【００２４】
データサーバ４２は、発電プラント１０に関係するデータを記憶する記憶装置である。例えば、データサーバ４２は、社内通信網３０と通信制御部４１とを経て、センサ監視装置２０からセンサデータを受け取ると、このセンサデータを記憶していく。また、データサーバ４２は、管理サーバ４３からのデータ送信要求を受け取ると、該当するセンサデータを抽出して、管理サーバ４３に送る。
【００２５】
クライアント４４〜４５は、発電プラント１０を運用する担当者によって操作される、発電プラント１０を運用するためのコンピュータである。クライアント４４〜４５には、発電プラント１０の運用のために必要とする各種の指示等が担当者により入力される。例えば、発電プラント１０の各監視対象モデルを作成するために、クライアント４４〜４５にはモデル作成指示が入力される。クライアント４４〜４５は、モデル作成指示が入力されると、このモデル作成指示を管理サーバ４３に送る。
【００２６】
また、クライアント４４〜４５は、管理サーバ４３から各種のデータ、例えば後述の警報データを受け取ると、警報を出力する。また、クライアント４４〜４５は、管理サーバ４３からセンサ一覧データを受け取ると、このデータを表示する。
【００２７】
管理サーバ４３は、発電プラント１０の監視のために、各種の処理を行うコンピュータである。先ず、管理サーバ４３は発電プラント１０の各監視対象モデルを作成する。次に、管理サーバ４３は作成した各モデルを基に発電プラント１０を監視する。以下では、発電プラント１０の各監視対象モデル作成と、各モデルによる発電プラント１０の監視とについて順に説明する。
【００２８】
管理サーバ４３は、発電プラント１０の各監視対象のモデルを作成するために、データサーバ４２に対してデータ送信要求を送る。または、クライアント４４〜４５からのモデル作成指示を受け取ったときに、データサーバ４２に対してデータ送信要求を送る。この後、管理サーバ４３はデータサーバ４２から各センサデータを受け取って、各監視対象のモデルを作成する。管理サーバ４３はモデルを作成して監視するために、例えば図３に示す機能を備えている。つまり、管理サーバ４３は、入力部４３ａと、マスク処理部４３ｂと、モデル作成部４３ｃ〜４３ｅを備えている。なお、図３では、図示の複雑化を避けるために、センサデータが４種類、つまり４つのセンサからの測定値により、モデルを作成する場合を示している。しかし、実際のプラントでは、多数のセンサからの測定値を処理している。
【００２９】
入力部４３ａは、データサーバ４２からの各センサデータを受け取るためのインタフェースである。入力部４３ａは、データサーバ４２から各センサデータを受け取ると、これらのセンサデータをマスク処理部４３ｂに送る。このマスク処理部４３ｂについては後で述べる。
【００３０】
モデル作成部４３ｃは、マスク処理部４３ｂを経て入力部４３ａからの各センサデータを受け取る。モデル作成部４３ｃが受け取るセンサデータの一例を図４に示す。モデル作成部４３ｃは、こうしたセンサデータを用いて発電プラント１０の監視対象のモデルを作成する。このために、モデル作成部４３ｃは、各センサデータについて関係性の抽出を行う。例えば、図５に示すように、マスク処理部４３ｂから受け取った多数のセンサデータａ１〜ａｎの中で、センサデータａ１とセンサデータａｋとが同じように変化すると、モデル作成部４３ｃは、センサデータａ１を出力するセンサと、センサデータａｋを出力するセンサとに関係性の強さがあると判断する。こうして、モデル作成部４３ｃは、マスク処理部４３ｂから受け取ったセンサデータの中から関係性の強さがあるセンサを調べる。
【００３１】
この後、モデル作成部４３ｃは、調べた総ての関係性の強さからモデルを作成する。つまり、管理サーバ４３は、発電プラント１０の監視対象に設置されているセンサについて、センサ間の関係性の強さをモデルとする。モデル作成部４３ｃがこうして作成したモデルは、例えば図６に示すようなパターンで表される。図６では、発電プラント１０の監視対象の機器Ｂ１〜Ｂ３に設置されているセンサ（黒丸で図示）をそれぞれ一群とし、関係性の強さがあるセンサを線で結んでいる。モデル作成部４３ｃのための発電プラント１０の監視対象は、例えば冷却系統のような装置類である。
【００３２】
こうして、モデル作成部４３ｃは、マスク処理部４３ｂから受け取った多数のセンサデータを基にして、センサ間の関係性の強さを調べ、関係性の強さから監視対象のモデルを作成する。モデル作成部４３ｃは作成した監視対象モデルをデータサーバ４２に保存する。
【００３３】
モデル作成部４３ｃと同様にして、残りのモデル作成部４３ｄ〜４３ｅは、マスク処理部４３ｂから受け取った多数のセンサデータを基にして、センサ間の関係性の強さを調べ、関係性の強さから監視対象モデルをそれぞれ作成する。モデル作成部４３ｄ〜４３ｅは、こうして作成した各監視対象のモデルをデータサーバ４２に保存する。
【００３４】
管理サーバ４３は、モデル作成部４３ｃ〜４３ｅが作成した監視対象モデルを基にして、発電プラント１０の監視対象を次のように監視する。例えばモデル作成部４３ｃが作成した監視対象モデルにより、発電プラント１０の監視対象を監視する場合、このモデル作成部４３ｃが監視を行う。例えば図７に示すように、モデル作成部４３ｃは、現在の各センサの測定値を抽出してセンサ測定値とする。また、モデル作成部４３ｃは、監視対象モデルが作成された時点のセンサデータの測定値、つまり正常時の測定値を抽出する。そして、モデル作成部４３ｃは、現在の測定値と、正常時の測定値とから、監視対象モデルを基にセンサの予測される現在の測定値を算出して、センサ予測値とする。
【００３５】
この後、モデル作成部４３ｃは、監視対象モデルを基に算出したセンサ予測値と、現在のセンサ測定値とを比較する。つまり、モデル作成部４３ｃは、センサ間の関係性の強さに変化があるかを調べて、発電プラントを監視する。
【００３６】
センサ予測値とセンサ測定値との比較の結果、センサ予測値とセンサ測定値との差異が予め設定した閾値を超えた場合、モデル作成部４３ｃは、関係性の強さが変化したセンサの一覧を示すセンサ一覧データを作成する。そして、モデル作成部４３ｃは、警報を出すための警報データおよびセンサ一覧データを、発電プラント１０の監視対象の監視結果とする。
【００３７】
管理サーバ４３は、こうして作成した発電プラント１０の監視対象の監視結果を、クライアント４４〜４５に送る。
【００３８】
ここで、マスク処理部４３ｂについて説明する。マスク処理部４３ｂ（図３）は、入力部４３ａからのセンサデータｓｇ１１〜ｓｇ１４を受け取ると、マスク４３ｂ１〜４３ｂ１２を経て、センサデータｓｇ１１〜ｓｇ１４をモデル作成部４３ｃ〜４３ｅにそれぞれ送る。例えば、モデル作成部４３ｃに対しては、マスク処理部４３ｂはマスク４３ｂ１〜４３ｂ４を経て、センサデータｓｇ１１〜ｓｇ１４を送る。
【００３９】
マスク４３ｂ１〜４３ｂ１２は次のようなものである。ここでは、モデル作成部４３ｃにセンサデータｓｇ１１〜ｓｇ１４を送るマスク４３ｂ１〜４３ｂ４について説明する。マスク４３ｂ１〜４３ｂ４は、センサデータｓｇ１１〜ｓｇ１４を遮断して、モデル作成部４３ｃに送らないためのマスク処理をする。こうしたマスク処理は、ソフトウエアにより形成することができる。この他にも、ハードウエアで構成したスイッチの開閉により、マスク処理と同等の処理を行うこともできる。
【００４０】
ところで、一般的には入力部４３ａからのセンサデータｓｇ１１〜ｓｇ１４に対してマスク処理を行う場合には、図８に示すように、入力部４３ａからのセンサデータｓｇ１１〜ｓｇ１４の信号線に対して、マスク４３ｆ１〜４３ｆ４を設けている。これにより、マスク４３ｆ１〜４３ｆ４は、センサデータｓｇ１１〜ｓｇ１４に対してマスク処理をするかしないか、つまり、モデル作成部４３ｃ〜４３ｅにセンサデータｓｇ１１〜ｓｇ１４を送るか送らないかの処理をする。
【００４１】
しかし、この実施の形態では、例えばモデル作成部４３ｃ〜４３ｅ（図３）のそれぞれに、センサデータｓｇ１１〜ｓｇ１４のマスク処理をするかしないかのマスク４３ｂ１〜４３ｂ１２を設けている。これにより、図９に示すように、例えばセンサデータｓｇ１２についてはマスク４３ｂ２がマスク処理をすることにより、モデル作成部４３ｃに対してはセンサデータｓｇ１２を遮断している。同じように、図９では、センサデータｓｇ１４についてはマスク４３ｂ１２がマスク処理をすることにより、モデル作成部４３ｅに対してセンサデータｓｇ１４を遮断している。
【００４２】
このように、モデル作成部４３ｃ〜４３ｅのそれぞれに送られるセンサデータｓｇ１１〜ｓｇ１４に対して、マスク処理を行うマスク４３ｂ１〜４３ｂ１２が設けられている。マスク４３ｂ１〜４３ｂ１２によるマスク処理をするかしないかは、クライアント４４からの指示で管理サーバ４３に設定される。管理サーバ４３は、マスク４３ｂ１〜４３ｂ１２に対する設定内容（以下、「マスク処理設定内容」と記す）に応じて、マスク４３ｂ１〜４３ｂ１２に対してマスク処理をするための制御をする。そして、管理サーバ４３は、マスク処理によりセンサデータを受け取らないモデル作成部については、センサ間の関係性の強さが変化しても、警報データを作成しないようにする。つまり、モデル作成部は、マスク処理が行われていることを示す通知を管理サーバ４３から受け取ると、警報データを含まない警報結果を生成する。そして、管理サーバ４３は、警報データを含まない警報結果をクライアント４４〜４５に送る。
【００４３】
以上がプラント監視システムの構成である。次に、このプラント監視システムによるプラント監視方法について説明する。通常、モデル監視装置４０では、データサーバ４２に記録されているセンサデータ、つまり各センサからの測定値ｓｇ１〜ｓｇ３を使用して、管理サーバ４３の例えばモデル作成部４３ｃが、ある時点、例えばプラント正常時の監視対象モデルを作成する。次に、モデル作成部４３ｃは、現在の各センサの測定値を抽出してセンサ測定値とする。また、モデル作成部４３ｃは、監視対象モデルが作成された時点のセンサデータの測定値を抽出する。そして、モデル作成部４３ｃは、現在の測定値と、正常時の測定値とから、監視対象モデルを基にセンサの現在の予測される測定値を算出して、センサ予測値とする。
【００４４】
この後、モデル作成部４３ｃは、監視対象モデルを基に算出したセンサ予測値と、現在のセンサ測定値とを比較する。つまり、モデル作成部４３ｃは、センサ間の関係性の強さに変化があるかを調べて、発電プラントを監視する。
【００４５】
センサ予測値とセンサ測定値との比較の結果、センサ予測値とセンサ測定値との差異が閾値を超えた場合、モデル作成部４３ｃは、関係性の強さが変化したセンサの一覧を示すセンサ一覧データを作成する。そして、モデル作成部４３ｃは、警報を出すための警報データおよびセンサ一覧データを、発電プラント１０の監視対象の監視結果とする。こうして発電プラント１０の監視対象の監視結果をモデル作成部４３ｃが作成すると、管理サーバ４３はクライアント４４〜４５に監視結果を送る。これにより、例えばクライアント４４は監視対象に変化が発生したことを表示して、警報を出力する。また、クライアント４４は関係性の強さが変化したセンサの一覧を表示する。
【００４６】
ところで、管理サーバ４３のモデル作成部４３ｃ（図９）が、例えば冷却系統を監視するための監視対象モデルを作成して監視する場合、冷却水を汲み上げるポンプの吐出量を表すデータがセンサデータｓｇ１２であるとする。監視対象として冷却系統のモデルを作成するモデル作成部４３ｃは、ポンプの吐出量を示すデータを常に使用して冷却系統を監視している。
【００４７】
一方、冷却系統の監視対象モデルとは別のモデルを作成するモデル作成部４３ｄは、ポンプが始動・停止をしたかどうかのデータ、つまりポンプの吐出量を表すセンサデータｓｇ１２が立上がったか立下がったかを使用しているとする。つまり、モデル作成部４３ｄは、冷却水を汲み上げるポンプの吐出量の変化等を必要としていない。
【００４８】
こうした状態で、ポンプの保守点検が行われる場合、ポンプを始動した後、所定の作業時間だけポンプを停止するようなときがある。このときには、プラント運営の担当者は、例えばクライアント４４（図１）を操作して、管理サーバ４３のマスク処理部４３ｂ（図９）のマスク４３ｂ２がマスク処理を行うようにするための指示を入力する。マスク処理に関する指示が入力されると、クライアント４４（図１）は、マスク処理に関する指示を管理サーバ４３に送る。
【００４９】
管理サーバ４３は、マスク処理に関する指示をクライアント４４から受け取ると、この指示をマスク処理設定内容に反映する。そして、管理サーバ４３は、マスク処理部４３ｂ（図９）を制御して、モデル作成部４３ｃによるモデル作成の際に、マスク処理設定内容に従って、マスク４３ｂ２によるマスク処理、つまり、入力部４３ａからのセンサデータｓｇ１２をモデル作成部４３ｃに送らない処理をする。
【００５０】
この後、管理サーバ４３では、センサデータｓｇ１１〜ｓｇ１４を用いて、監視対象モデルを基にモデル作成部４３ｃ〜４３ｅが監視対象の監視を行う。このとき、管理サーバ４３は、マスク処理設定内容によりマスク処理部４３ｂを制御して、マスク４３ｂ２がマスク処理を行うようにする。これにより、センサデータｓｇ１２は、マスク４３ｂ２のマスク処理によりモデル作成部４３ｃには送られないが、他のモデル作成部４３ｄ〜４３ｅには送られる。
【００５１】
この結果、モデル作成部４３ｃは、監視対象モデルにより、センサ間の関係性の強さが変化していると判断しても、警報データを作成しない。これにより、管理サーバ４３は、警報データを含まない監視結果をクライアント４４に送る。クライアント４４は、センサ一覧データを基に、関係性の強さが変化したセンサについては表示をするが、警報は出力しない。
【００５２】
一方、モデル作成部４３ｄにはセンサデータｓｇ１２が送られる。モデル作成部４３ｄは、ポンプが始動・停止をしたかどうかのデータを使用して、監視対象モデルを基に監視を行う。この結果、ポンプの保守点検が行われていても、ポンプの始動・停止のデータを使用するモデル作成部４３ｄは、ポンプの吐出量のデータを使用しないので、センサ間の関係性の強さが変化していないと判断する。したがって、ポンプの保守点検が行われていても、モデル作成部４３ｄが監視する監視対象については、監視の結果としてクライアント４４は警報を出力しない。
【００５３】
こうして、この実施の形態によれば、各モデル作成部に送られるセンサデータに対して、それぞれマスク処理をするか否かの制御を行うので、機器の故障予兆検知精度を向上することができる。また、この実施の形態によれば、センサ修理等の用途に応じた監視モデルによる運用が可能となる。
【符号の説明】
【００５４】
１０  発電プラント
２０  センサ監視装置
３０  社内通信網
４０  モデル監視装置
４１  通信制御部
４２  データサーバ
４３  管理サーバ（モデル作成手段）
４３ａ  入力部
４３ｂ  マスク処理部
４３ｂ１〜４３ｂ１２  マスク（処理手段）
４３ｃ〜４３ｅ  モデル作成部
４４〜４５  クライアント
【図１】
2020035109.tif 000003
【図２】
2020035109.tif 000004
【図３】
2020035109.tif 000005
【図４】
2020035109.tif 000006
【図５】
2020035109.tif 000007
【図６】
2020035109.tif 000008
【図７】
2020035109.tif 000009
【図８】
2020035109.tif 000010
【図９】
2020035109.tif 000011